(57)【要約】  通信システムにおける基地局と端末との間のデータ伝送方法では、データを時間的に時間区分に分割し、複数の端末によって共通して使用されるデータチャネルを介して基地局から端末に伝送し、データがデータチャネルを介して端末に送信される場合、端末に基地局から少なくとも２つの制御チャネルを介して同様に時間区分に分割して送信され複数の制御情報構成要素を包含する制御情報によって通知を行い、端末によって少なくとも２つの制御チャネルをリスニングし、端末によって第１の時間区分では少なくとも２つの制御チャネルの第１の制御チャネルにおいて制御情報を受信し、制御情報構成要素のそれぞれの内容に基づき制御情報構成要素の各々に対して個々の判定パラメータを形成し、個々の判定パラメータに基づき総判定パラメータを求め、データチャネルで受信したデータおよび制御チャネルにおいて受信した情報を総判定パラメータに依存して拒否する。
2007509514.tif 000002
【特許請求の範囲】
【請求項１】
通信システム（ＣＮ）における基地局（ＢＳ）と端末（ＵＥ）との間のデータ伝送方法であって、
データを時間的に時間区分（ＺＳ，Ｒ）に分割して、複数の端末（ＵＥ）によって共通して使用されるデータチャネル（ＨＳ＿ＤＳＣＨ）を介して前記基地局（ＢＳ）から前記端末（ＵＥ）に伝送し、
データが前記データチャネル（ＨＳ＿ＤＳＣＨ）を介して前記端末に送信される場合には、前記端末（ＵＥ）に前記基地局（ＢＳ）から少なくとも２つの制御チャネル（ＨＳ＿ＳＣＣＨ１，ＨＳ＿ＳＣＣＨ２）を介して、同様に時間区分（ＺＳ，Ｒ）に分割して送信され複数の制御情報構成要素（Ｐ１，Ｐ２）を包含する制御情報によって通知を行う、データ伝送方法において、
ａ）前記端末（ＵＥ）によって少なくとも２つの制御チャネル（ＨＳ＿ＳＣＣＨ１，ＨＳ＿ＳＣＣＨ２）をリスニングするステップと、
ｂ）前記端末（ＵＥ）によって、第１の時間区分（ＺＳ１，Ｒ１）では前記少なくとも２つの制御チャネルの第１の制御チャネル（ＨＳ＿ＳＣＣＨ１）において前記制御情報を受信するステップと、
ｃ）前記制御情報構成要素（Ｐ１，Ｐ２）のそれぞれの内容に基づき、該制御情報構成要素（Ｐ１，Ｐ２）の各々に対して個々の判定パラメータを形成するステップと、
ｄ）前記個々の判定パラメータに基づき総判定パラメータを求めるステップと、
ｅ）前記データチャネル（ＨＳ＿ＤＳＣＨ）において受信したデータおよび前記制御チャネル（ＨＳ＿ＳＣＣＨ１）において受信した情報を前記総判定パラメータに依存して拒否するステップとを有することを特徴とする、データ伝送方法。
【請求項２】
さらに、
ｆ）前記第１の時間区分に続く時間区分（ＺＳ２，Ｒ２）においてリスニングすべき１つまたは複数の制御チャネルを前記総判定パラメータに依存して決定する、例えば少なくとも２つの制御チャネル（ＨＳ＿ＳＣＣＨ１，ＨＳ＿ＳＣＣＨ２）をさらにリスニングするステップを有する、請求項１記載の方法。
【請求項３】
前記ステップｄ）において、前記制御情報が前記端末に関連すると評価される場合には肯定の総判定パラメータを形成し、前記制御情報が端末に関連しないと評価される場合には否定の総判定パラメータを形成する、請求項１または２記載の方法。
【請求項４】
前記ステップｆ）において、肯定の総判定パラメータが存在する場合には、第１の制御チャネル（ＨＳ＿ＳＣＣＨ１）のみがリスニングすべき制御チャネルであると決定し、否定の総判定パラメータが存在する場合には、全ての制御チャネルがリスニングすべき制御チャネルであると決定する、請求項１から３までのいずれか１項記載の方法。
【請求項５】
前記制御情報構成要素（Ｐ１，Ｐ２）は前記端末（ＵＥ）に関連すると評価される場合には肯定の総判定パラメータを形成し、前記制御情報構成要素（Ｐ１，Ｐ２）は端末（ＵＥ）に関連しないと評価される場合には否定の総判定パラメータを形成する、請求項１から４までのいずれか１項記載の方法。
【請求項６】
前記ステップｅ）において、全ての判定パラメータが肯定である場合に、前記総判定パラメータは肯定であると決定する、請求項１から５までのいずれか１項記載の方法。
【請求項７】
前記ステップｆ）における後続の時間区分は、前記第１の時間区分（ＺＳ１，Ｒ１）の直後に続く時間区分（ＺＳ２，Ｒ２）である、請求項１から６までのいずれか１項記載の方法。
【請求項８】
前記データチャネル（ＨＳ＿ＤＳＣＨ）を介するデータの伝送をデータパケットで行い、該パケットの大きさは殊に決定されている、請求項１から７までのいずれか１項記載の方法。
【請求項９】
第１の制御情報構成要素は前記端末の識別子を包含し、第２の制御情報構成要素はチャネルコンフィギュレーション情報および／またはＨＡＲＱ情報および／またはパケットの大きさに関する情報および／または変調および符号化スキームを包含する、請求項１から８までのいずれか１項記載の方法。
【請求項１０】
肯定の総判定パラメータが存在する場合には、前記データチャネル（ＨＳ＿ＤＳＣＨ）を介するデータ伝送を時間的に遅延させて、例えば制御情報が始まる時間区分に相対的に２つの時間区分遅延させて行う、請求項１から９までのいずれか１項記載の方法。
【請求項１１】
否定の総判定パラメータが存在する場合にはデータをさらに処理しない、例えばＯＳＩモデルの物理層よりも上の層に転送しない、請求項１から１０までのいずれか１項記載の方法。
【請求項１２】
第１の制御チャネル（ＨＳ＿ＳＣＣＨ１）を介して伝送される制御情報が、前記データチャネル（ＨＳ＿ＤＳＣＨ）において必要応じて行われるデータ伝送の２つ分の時間区間前に通知される第１の制御情報構成要素（Ｐ１）と、後続の１つまたは複数の時間区間において伝送される第２の制御情報構成要素（Ｐ２）とを構成し、前記第１の制御情報構成要素（Ｐ１）に属する第１の判定パラメータが否定である場合にはデータをさらに処理せずに、直後に続く時間区間において全ての制御情報をリスニングすべきものと決定し、前記第１の制御情報構成要素に属する第１の判定パラメータが肯定であり、かつ前記第２の制御情報構成要素（Ｐ２）に属する第２の判定パラメータが否定である場合にはデータを転送またはさらに処理せず、直後に続く時間区間において前記第１の制御チャネルのみをリスニングすべきチャネルとして決定する、請求項１から１１までのいずれか１項記載の方法。
【請求項１３】
請求項１から１１までのいずれか１項記載の方法を実施するよう設計されているプロセッサユニットと、データ伝送のための受信装置とを備えた端末（ＵＥ）。
【請求項１４】
請求項１２による端末（ＵＥ）と基地局（ＢＳ）とを備えた通信ネットワーク（ＣＮ）、例えばセルラ移動無線ネットワーク。
【発明の詳細な説明】
【技術分野】
【０００１】
本発明は、データ、殊にパケット指向のデータサービスのデータパケットが複数の移動局によって共通して使用されるデータチャネルを介して伝送され、データが指定されている特定の移動局に対するシグナリングのために共通して使用される複数の制御チャネルが使用される、通信ネットワーク、殊にセルラ無線ネットワークにおけるデータ伝送方法に関する。
【０００２】
ＵＭＴＳ（Universal Mobile Telecommunication System）においては、高速の下り方向コネクションチャネルないし「高速ダウンリンク共有チャネル（High-Speed Downlink Shared Channel）」（ＨＳ＿ＤＳＣＨ）を介してデータパケットが移動局ないしユーザ装置（User Equipment ; UE）に送信される。所属の制御情報が並行して高速の制御チャネル「高速共有制御チャネル（High-Speed Shared Control Channel）」（ＨＳ＿ＳＣＣＨ）を介して伝送される。これに関して最大で４つのＨＳ＿ＳＣＣＨが移動局に割り当てられている。受信側の移動局がＨＳ＿ＳＣＣＨにおける情報およびＨＳ＿ＤＳＣＨにおけるデータがこの移動局に対して指定されていることを識別できるようにするために、制御情報は移動局固有の識別情報と結合される。より厳密な概念定義は図面の説明と関連させて後述する。
【０００３】
ＵＭＴＳにおいては、ＨＳ＿ＤＳＣＨがＨＳ＿ＳＣＣＨに比べタイムスロット２つ分シフトされており、またＨＳ＿ＳＣＣＨとＨＳ＿ＤＳＣＨのそれぞれの３つのタイムスロットが物理層の情報ユニットに相当する（物理層の情報ユニットの持続時間は部分フレームないしサブフレームとも称される）。
【０００４】
移動局固有の識別情報の他にＨＳ＿ＳＣＣＨのユニットはさらに以下の情報を包含する：
・使用されるＨＳ＿ＤＳＣＨ拡散コードないし「拡散符号（Spreading Code）」または「チャネル符号（Channelisation-Code）」またはチャネル符号化情報、
・変調スキーム、例えばＱＰＳＫ（４位相周波数変調方式）または１６ＱＡＭ（１６直交振幅変調（16 Quadrature Amplitude Modulation））、
・物理層から次の上位層に渡されるデータビットの数、
・最初のデータ伝送であるかデータの反復であるかを表す識別子、
・ＨＡＲＱプロセス数、
・データビットの１６ＱＡＭについて使用されるマッピング規則および使用されるレート適応パターンに関する情報。
【０００５】
情報はその都度、２つのタイムスロット遅れて伝送されるＨＳ＿ＤＳＣＨ情報ユニットに関する。
【０００６】
ＵＭＴＳにおいては、移動局が直前のＨＳ＿ＳＣＣＨユニットにおいてこの移動局に対して指定されているデータを受け取っていない場合には、移動局はＨＳ＿ＳＣＣＨを４つまで監視する必要がある。以下では４つのＨＳ＿ＳＣＣＨの場合の例が選択されるが、２つまたは３つのような別の数も考えられる。言い換えればＵＭＴＳ標準において移動局は、ＨＳ＿ＳＣＣＨの内の１つにおいてこの移動局に対して指定されている制御情報を受け取る場合、３つ分のタイムスロットの長さの後続の期間においてさらに１つのＨＳ＿ＳＣＣＨ、しかも制御情報を事前に受信したＨＳ＿ＳＣＣＨを監視する。その理由とは、これによってＨＳ＿ＳＣＣＨ受信のために必要とされる受信器ハードウェアの部分を、ＨＳ＿ＤＳＣＨにおけるデータ伝送の場合にはＨＳ＿ＤＳＣＨ受信のために使用することができ、したがって全体としてより少ないリソースしか必要とされないためである。ここでは、連続するタイムスロットに関する計画規則ないし「連続スケジューリング規則（consecutive scheduling rule）」について言及する。
【０００７】
さらに、ＵＭＴＳにおいては異なる種類の移動局、すなわち異なる性能を有する移動局が使用される。パケット指向の高速データ伝送に関しては、移動局は種類に応じて殊に以下の能力について区別される；
・移動局がＨＳ＿ＤＳＣＨユニットにおいて同時に受信および処理できるＨＳ＿ＤＳＣＨチャネル符号の最大数、
・移動局が処理できるＨＳ＿ＤＳＣＨにおける連続する２つのデータ伝送間の最小時間間隔、
・移動局が処理できる変調スキーム（ＱＰＳＫ，１６ＱＡＭ）、
および別のパラメータ。
【０００８】
さらに物理層にはＯＳＩ（Open System Interconnection）モデルの上位層によるシグナリングを介してハイブリッドで自動的な再送要求プロセスの数ないしハイブリッド自動再送（Hybrid Automatic Repeat Request）ＨＡＲＱプロセス数および最大限の伝送ブロックの大きさないしパケットの大きさが通知される。
【０００９】
ＵＭＴＳにおいて一貫性がない情報とは例えば、使用されるＨＳ＿ＤＳＣＨチャネル符号のＨＳ＿ＳＣＣＨユニットにおいて伝送される数は、移動局がその種類に応じて最大限に処理できなければならないＨＳ＿ＤＳＣＨのチャネル符号の数よりも多い場合、および/または、ＨＡＲＱプロセス数がこの移動局に対してコンフィギュレートされたＨＡＲＱプロセス数よりも多い場合である。
【００１０】
移動局が、情報の識別子に応じてこの移動局に送信されたものと評価されるＨＳ＿ＳＣＣＨユニットにおける情報は一貫していない情報を包含することを確認すると、その場合物理層はデータを拒否することができ、データを転送しなくてもよい。この行程は、一貫していないと思われる情報を包含するパケットがフィルタリング除去されることによって、誤りのあるデータパケットが物理層から上位層へと渡される確率が低減されるという利点を有する。一貫していない制御情報は物理層においてのみ必要とされるため、この一貫していない制御情報自体は上位層には転送されないので、そのようなフィルタリングはまた物理層においてのみ実施すればよい。一貫していないデータは場合によっては上位層において重大な誤動作を生じさせる可能性があり、したがってＵＭＴＳの仕様においては重点が置かれていたので、このことは可能な限り回避されるべきである。チェックサム検査のような別の方法の他に、前述の一貫性検査はそのような誤動作を回避するための方法である。
【００１１】
もっともそのような一貫性検査によって、実際には適切に受信できるであろうデータも拒否される可能性がある：例えば、移動局に５つのＨＳ＿ＤＳＣＨ拡散符号ないし「チャネル符号」を使用することが要求される可能性があり、このことは移動局の最大限の能力に相当する。ここで伝送時のエラーによって、移動局が誤って１５の符号を受信する必要があると認識する可能性がある。そうではなく移動局が最大限に可能とされる数の符号、すなわち５つの符号を受信する場合には、移動局はこの行程によって制御情報の誤った伝送を訂正する可能性がある。しかしながら移動局は制御情報におけるエラーを訂正することを試みるのではなく、その代わりにエラーを検出して必要に応じて全てのデータフレームを拒否すべきである。
【００１２】
このことはデータが誤って拒否されるという欠点を有する。
【００１３】
この従来技術に基づく、本発明の課題は、通信ネットワークにおいてデータが誤って拒否されることを簡単に低減できるようにすることである。
【００１４】
この課題は独立請求項に記載の構成によって解決される。有利な実施形態が従属請求項に記載されている。
【００１５】
通信ネットワークにおいては、データが端末と基地局との間で複数の端末、すなわち少なくとも２つの端末により使用可能なデータチャネルを介してデータが伝送される。この場合データは別個の時間区分に分割されている。さらには複数の制御チャネル、すなわち少なくとも２つの制御チャネルが設けられており、端末はこれらの制御チャネルをリスニングないしモニタリングし、また後の時点、すなわち後続の時間区分においてデータチャネルを介するデータ伝送が行われる場合には、この制御チャネルの内の１つにおいて端末に制御情報を介して通知が行われる。
【００１６】
端末が制御情報を制御チャネルのうちの１つにおいて受信すると、端末は殊にその制御情報が実際にこの端末に送信されたものであるかについて内容を分析する。制御情報は複数の部分、すなわち少なくとも１つの第１の制御情報構成要素と少なくとも１つの第２の制御情報構成要素を有する。この場合、第１の制御情報部分構成要素を第１の時間区分において受信し、第２の制御情報構成要素を後続の第２の時間区分において受信することができる。
【００１７】
これらの制御情報構成要素が各々分析され、その分析に基づいてこれらの制御情報構成要素の各々に対して判定パラメータが形成される。これらの個々の判定パラメータを用いて、制御情報に対する総判定パラメータが求められ、この総判定パラメータを介して、データチャネルにおいて受信したデータは拒否されるべきか否か、すなわちさらに処理すべきではないか否か、殊にＯＳＩモデルの上位層に転送されるべきではないか否かが求められる。この拒否を例えば第１または第２の時間区分に続く第３の時間区分において行うことができる。
【００１８】
総判定パラメータを複数の個々の判定パラメータから構成することによって、誤って判定される可能性は低減される。
【００１９】
総判定パラメータによって、端末は１つまたは複数の後続の時間区分、例えば第３の時間区分において１つまたは複数のどの制御チャネルをリスニングすべきかについても確認される場合には、本方法は殊に有利である。このことは、端末が例えばもはや全ての制御チャネルではなく、１つまたは複数の所定の制御チャネルをリスニングすればよい場合には、端末における計算の手間が低減されるので有利である。
【００２０】
殊に端末は、例えば制御情報構成要素がこの端末に関連しないと評価される場合（例えばデータをこの端末によって処理することができないため）には、上述のように少なくとも２つの制御チャネルをリスニングし続けることができる。
【００２１】
別の実施形態においては、総判定パラメータが２つの値を取ることができる。例えば制御情報が端末に関連する場合には正の値を取り、制御情報が端末に関連しない場合には負の値を取る。したがって例えば、端末は全ての制御チャネルをリスニングするか、制御情報を受信した制御チャネルのみをリスニングするかを判定することができる。
【００２２】
総判定パラメータを殊に、個々の判定パラメータ全てが肯定である場合にのみ正の値を取るように、個々の判定パラメータから構成することができる。
【００２３】
通信システムは例えばＵＭＴＳシステムでよい。
【００２４】
したがってＵＭＴＳにおいて冒頭で述べたような状況に関しては、一貫性のない情報ユニット（ＨＳＤＰＡ部分フレーム）の伝送の直後に行われる伝送が端末ないし移動局によって失敗される確率は低減される。このことに関する出発点は上述した規則（連続スケジューリング規則）と、ＨＳ＿ＳＣＣＨ情報ユニットの復号により一貫性のない情報が供給される場合には高い確率でＨＳ＿ＳＣＣＨ誤報が生じるという事実である。したがって、制御チャネルの検出時の誤報によって次のフレームのデータが受信されない虞は回避される。
【００２５】
さらにはＵＭＴＳシステムにおいては冒頭で述べたように、一貫性を検査するための別の判定基準も採用することによって誤報を識別する確率は高められる。（ＨＳＤＰＡにおいてＱＰＳＫ変調のみを支援する移動局は、この移動局に送信されたＨＳ＿ＳＣＣＨ情報ユニットにおける変調スキームに関して一貫性検査を付加的に実施することによって誤報の確率を低減することができる）誤報はこの関係において、基地局から移動局に対して実際に送信が行われておらず、その代わりに別の移動局に対して送信が行われている可能性があるか、何の送信も行われていない可能性があるにもかかわらず、この移動局が識別情報の復号時に、識別情報は移動局の識別子と一致していると誤って想定する場合に生じる。
【００２６】
本発明の別の利点を図面に示されている選択的な実施例に基づき説明する。  ここで、
図１は基地局および端末を備えた通信システムを示す。
図２は制御チャネルと４つのタイムスロットのデータチャネルの分割を示す。
【００２７】
図面を詳細に説明する前に、先ず使用される概念を説明する。通信システムまたは通信ネットワークはデータを交換するための構造である。ここでは例えば、ＧＳＭ（Global System of Mobile Communications）ネットワークまたはＵＭＴＳ（Universal Mobile Telecommunications System）のようなセルラ移動無線ネットワークが考えられる。通信ネットワークは少なくとも２つのコネクションノードを包含し、すなわちいわゆる「ポイント・ツー・ポイント」コネクションもこの概念に含まれる。
【００２８】
通信システムにおいては一般的に端末と基地局が設けられており、これらは無線インタフェースを介して相互に接続されている。ＵＭＴＳにおいては通信システムまたは無線伝送ネットワークは少なくとも、ここではノードＢとも称する基地局と、個々の基地局と接続するための無線ネットワーク制御ユニットないし無線ネットワークコントローラ（ＲＮＣ）を有する。陸上無線アクセスネットワークないし「Universal Terrestrial Radio Access Network」ＵＴＲＡＮはＵＭＴＳネットワークの無線技術的な部分であり、このネットワークにおいては例えば無線インタフェースも使用される。無線インタフェースは常に規格化されており、またデータ交換のための物理的およびプロトコル的な設計全体、例えば変調方法、帯域幅、周波数範囲、アクセス方法、セキュリティプロシージャまたは切換技術を規定する。すなわちＵＴＲＡＮはまた少なくとも基地局と少なくとも１つのＲＮＣを包含する。
【００２９】
基地局は、セルラ移動無線ネットワークの場合には１つまたは複数の無線チャネルを介して移動無線ネットワークのセル内の端末または通信端末機器を使用する、通信ネットワークにおける中央ユニットである。基地局は基地局と端末との間のエアインタフェースを提供する。基地局はモバイル加入者との無線動作を処理し、また物理的な無線コネクションを監視する。さらに移動局は有効メッセージおよび状態メッセージを端末に伝送する。基地局は切換機能を有しておらず、単に（サービス）提供機能しか有していない。基地局は少なくとも１つの送信／受信ユニットを包含する。
【００３０】
端末は任意の通信端末機器でよく、この通信端末機器を介してユーザは通信システムにおいて通信を行う。端末には例えば移動無線端末機器、例えば移動電話または無線モジュールを備えた携帯可能なコンピュータなどが含まれる。端末はしばしば「移動局」（ＭＳ）またはＵＭＴＳにおいては「ユーザイクイップメント」（ＵＥ）とも称される。
【００３１】
移動無線においては２つ接続方向が区別される。下り方向コネクションないし「ダウンリンク」（ＤＬ）は基地局から端末への伝送方向を表す。上り方向コネクションないし「アップリンク」（ＵＬ）は端末から基地局への逆方向の伝送方向を表す。
【００３２】
例えばＵＭＴＳ移動無線ネットワークのような広帯域伝送システムにおいてチャネルとは使用可能な総伝送容量の一部である。この明細書の枠内において無線チャネルとは無線の通信経路を表す。
【００３３】
移動無線システム、例えばＵＭＴＳにおいては、データを伝送するために２種類の物理的なチャネルが存在する。固定に割り当てられるべきチャネルないし「専用チャネル」と共通して使用されるチャネルないし「共通チャネル」である。専用チャネルにおいては物理的なリソースが所定の端末に対する情報の伝送のためにのみ確保される。共通チャネルにおいては、全ての端末が対象とされる情報を伝送することができ、例えばダウンリンクにおけるプライマリ共通物理制御チャネルないし「Primary Common Control Physical Channel」（Ｐ−ＣＣＰＣＨ）または全ての端末は１つの物理的なリソースを共有する。このことはＨＳ＿ＰＤＳＣＨの場合であり、このＨＳ＿ＰＤＳＣＨを介して端末にはこの端末に対するコネクション品質に依存してデータが送信される。
【００３４】
例えばＵＭＴＳのような移動無線システムにおいては、コネクションはその持続期間中は固定的に割り当てられているサービス切換ないし「回線切換え」サービスの他に、パケット指向ないし「パケット切換え」サービスも設けられている。
【００３５】
データ伝送またはシグナリングプロシージャを時間的に調整するために、伝送が時間区分、いわゆるスロットないし「タイムスロット」に分割されて行われる。ＵＭＴＳシステムにおいては１つのタイムスロットが０．６６６ｍｓの持続時間を有する。
【００３６】
殊にＨＳＤＰＡとの関連におけるＵＭＴＳでの別の時間区分は、３つのタイムスロットを包含するいわゆる部分フレームないし「サブフレーム」である。ＵＭＴＳにおける別の時間区分としてのフレームは１５のタイムスロットを包含する。
【００３７】
図１には通信ネットワークＣＮが示されている。基地局はデータをデータチャネルとしての高速下り方向コネクションチャネルないし「高速ダウンリンク共有チャネル」（ＨＳ＿ＤＳＣＨ）を介して端末ないし移動局ＵＥに送信する。伝送は制御チャネルとしての第１の高速制御チャネルないし「高速共有制御チャネル」ＨＳ＿ＳＣＣＨ１または第２の高速制御チャネルＨＳ＿ＳＣＣＨ２における伝送を表す。図面においては、例えば２つの制御チャネルが選択されているが、２よりも大きいあらゆる数の制御チャネルを選択することができる。端末は少なくとも１つの送信／受信ユニットおよびデータを処理するための処理装置を有する。
制御チャネルを介して制御情報が送信され、この制御情報を複数の制御情報構成要素から構成することができる。
【００３８】
図２には制御チャネルＨＳ＿ＳＣＣＨ１からＨＳ＿ＳＣＣＨ４とデータチャネルＨＳ＿ＤＳＣＨの時間的な構造の例が示されている。
【００３９】
４つの制御チャネルが並行して基地局から送信される。４つの制御チャネルＨＳ＿ＳＣＣＨ１からＨＳ＿ＳＣＣＨ４はそれぞれ、第１の制御情報構成要素が送信される第１の部分Ｐ１と、第２の制御情報構成要素が送信される第２の部分Ｐ２を有する。第１の部分Ｐ１においては例えば、端末を特徴付けるための識別情報、例えば端末の識別番号を包含させることができる。例としてデータチャネルＨＳ＿ＤＳＣＨが１つだけ示されている。各チャネルは部分フレームに分割されており、これらの部分フレームのうち第１の部分フレームＲ１と第２の部分フレームＲ２が例示的に示されている。これらの部分フレームはさらにそれぞれ３つのタイムスロットＺＳ１，ＺＳ２およびＺＳ３に分割されている。
【００４０】
データチャネルＨＳ＿ＤＳＣＨは制御チャネルに対してタイムスロット２つ分シフトされている。制御チャネル（ＨＳ＿ＳＣＣＨ１からＨＳ＿ＳＣＣＨ４）の第１の部分は所属のデータチャネルＨＳ＿ＤＳＣＨに先行して、制御チャネル（ＨＳ＿ＳＣＣＨ４）の終わりからデータチャネルＨＳ＿ＤＳＣＨの始まりまでの１つのタイムスロットの間隔をおいて送信される。制御チャネルＨＳ＿ＳＣＣＨの第２の部分Ｐ２は所属のデータチャネルＨＳ＿ＤＳＣＨと重畳し、しかもタイムスロット１つ分の長さだけ重畳する。
【００４１】
以下説明する実施例はＵＭＴＳ標準、すなわちＵＭＴＳ移動無線ネットワークに関連する。以下の記述においては、上記において使用した略号はチャネルを表すために直接使用される。しかしながら相応の方法を、相応の伝送方法が設けられている他の標準にも適用することができる。さらには、殊に一貫性検査についての冒頭での説明、また以下の略号を参照する：
ＨＳＤＰＡ：「高速ダウンリンクパケットアクセス」ないし下り方向における高レートのデータパケットチャネル。
ＨＳ＿ＤＳＣＨ：「高速ダウンリンク共有チャネル」（ＨＳＤＰＡ  ＤＬデータチャネル）ないし共通して使用される高レートの下り方向のデータチャネル。
ＨＳ＿ＳＣＣＨ：「高速共有制御チャネル」（ＨＳＤＰＡ  ＤＬ制御チャネル）ないし共通して使用される高レートの制御チャネル。
ＨＳＤＰＡにおいてＱＰＳＫ変調のみを支援する移動局は、冒頭で述べたようなこの移動局に送信されたＨＳ＿ＳＣＣＨ情報ユニットにおける変調スキームに関する一貫性検査の付加的な実施によって誤報の確率を低減することができる。
【００４２】
送信されたＨＳ＿ＳＣＣＨ情報ユニットを受信する移動局は殊に１つまたは複数の以下に記載する一貫性検査を実施する：
−移動局は情報が「ｐｂｅｒ」であるか否か、すなわちＨＳ＿ＤＳＣＨにおいて使用されるチャネル符号の数がこの移動局によって処理可能な符号の最大数よりも小さいか等しいか否かを検査すべきである。
−移動局は復号された変調スキームがこの移動局の性能に応じて許容されるか否かを検査すべきである。
【００４３】
上述の一貫性検査の内の少なくとも１つが不合格である場合には、移動局は物理層においてデータを拒否すべきであり、またこの移動局に送信されたＨＳ＿ＳＣＣＨ情報ユニットを何も受信しなかったように振る舞うべきである。すなわち、後続のＨＳ＿ＳＣＣＨ部分フレームにおける４つ全てのＨＳ＿ＳＣＣＨの監視は継続される。このことは、前述の一貫性検査を第１のＨＳ＿ＳＣＣＨタイムスロットの復号後に既に実施することができるので時間的にも可能である。このことはさらに、受信装置を後続のＨＳ＿ＳＣＣＨ部分フレームの受信のために切り換える必要がある時点の前でも可能である。さらに受信装置は、情報が存在するときに初めてＨＳ＿ＤＳＣＨの受信に切り換えることができる。何故ならば、受信装置はこの時になって初めて適切なチャネル符号ないしチャネル符号化情報の受信に切り換えることができるからである。さらに移動局は、復号されたＨＡＲＱプロセス数および提供された伝送ブロックの復号された大きさが、上位層からシグナリングを介して通知された最大値よりも小さいもしくは等しいか否かを検査する。前述した検査とは異なり、この検査はＨＳ＿ＳＣＣＨ部分フレームの第３のタイムスロットの受信後に初めて実施することができる。この時点においては受信装置が既にＨＳ＿ＤＳＣＨの受信に切り替えられているので、この場合にはＨＳ＿ＤＳＣＨの代わりに後続のＨＳ＿ＳＣＣＨ部分フレームにおける４つ全てのＨＳ＿ＳＣＣＨを監視することはもはや不可能である。一貫性検査の内の少なくとも１つが不合格であるならば、データが既に（少なくとも部分的に）ＨＳ＿ＤＳＣＨにおいて受信されていた場合であっても移動局（物理層）はデータを拒否すべきである。
【００４４】
殊に以下の方法が設けられている。
【００４５】
ａ）  パケット指向のデータサービスのデータパケットが複数の移動局によって共通して使用されるデータチャネル（ＨＳ＿ＤＳＣＨ）を介して伝送され、またデータ（および別のパラメータ）が指定されている特定の移動局に対してシグナリングするために共通して使用可能な複数の制御チャネル（ＨＳ＿ＳＣＣＨ）が使用され、データチャネルは制御チャネルに対して時間的に遅延されている、セルラ無線ネットワークにおけるデータ伝送方法。
【００４６】
ｂ）  さらに、受信ユニットに関して共通して使用される制御チャネルのうちの１つにおいてＨＳ＿ＳＣＣＨ情報ユニットの受信を検出した後には、直後に続く部分フレームでは、直前の情報ユニットを受信した制御チャネル（ＨＳ＿ＳＣＣＨ）においてのみ受信を行う、前述したような方法。ここでは情報ユニットを殊に制御情報構成要素とみなすことができる。
【００４７】
ｃ）  さらに、受信したＨＳ＿ＳＣＣＨ情報ユニットの少なくとも一部に一貫性検査を実施し、少なくとも１つの一貫性が不合格である場合には、データが物理層から上位層には転送されない、上述したような方法。殊に一貫性がないとは、関連する情報を端末装置によって処理できないことを表す。
【００４８】
ｄ）  さらに、検出したＨＳ＿ＳＣＣＨ情報ユニットの少なくとも一部に一貫性検査を実施し、一貫性が存在しない場合、直後の部分フレームでは複数の制御チャネル（ＨＳ＿ＳＣＣＨ）において受信を行い、一貫性が存在する場合、直後の部分フレームでは目下の部分フレームにおいてＨＳ＿ＳＣＣＨ情報ユニットが検出された制御チャネル（ＨＳ＿ＳＣＣＨ）においてのみ受信を行う、前述したような方法。
【００４９】
ｄ１）  上記の方法の発展形態は殊に、検出したＨＳ＿ＳＣＣＨ情報ユニットの少なくとも２つの部分（第１の部分、第２の部分）に一貫性検査を実施し、一方の部分（第１の部分）において一貫性が存在しない場合にはデータが物理層から上位層には転送されずに、直後の部分フレームでは複数の制御チャネル（ＨＳ＿ＳＣＣＨ）において受信が行われ、また他方の部分（第２の部分）において一貫性が存在しない場合には単にデータが物理層から上位層に転送されないだけである、前述したような方法。
【００５０】
ｄ１１）  この方法を、一貫性が存在する場合には直後の部分フレームでは、目下の部分フレームにおいてＨＳ＿ＳＣＣＨ情報ユニットが検出された制御チャネル（ＨＳ＿ＳＣＣＨ）においてのみ受信が行われるように発展させることができる。
【００５１】
ｄ２）  ｄ）で述べたような方法を、一方の部分（第１の部分）が時間的にデータ（ＨＳ＿ＤＳＣＨ）に先行して送信され、他方の部分（第２の部分）が少なくとも部分的に時間的にデータ（ＨＳ＿ＤＳＣＨ）とオーバラップするか、時間的にその後に送信されるよう発展させることができる。
【００５２】
ｅ）各方法を、一貫性検査がＨＳ＿ＤＳＣＨチャネル符号の数に関連するよう発展させることができる。
【００５３】
ｆ）さらには、一貫性検査が変調スキームに関連するよう方法を変更することができる。
【００５４】
ｇ）さらにはＨＳ＿ＳＣＣＨにおいて検出された情報に、物理層から次に上の層に渡されるデータビットの数および／またはＨＡＲＱプロセス数に関して一貫性検査を実施することができる。ここでＨＡＲＱプロセス数とは、複数のＨＡＲＱプロセスが同時に実行される場合の固有の伝送に関するプロセス数であると解される。
【図面の簡単な説明】
【００５５】
【図１】基地局および端末を備えた通信システム。
【図２】制御チャネルと４つのタイムスロットのデータチャネルの分割の状態。
【図１】
2007509514.tif 000003
【図２】
2007509514.tif 000004
【国際調査報告】
2007509514.tif 000005
2007509514.tif 000006
2007509514.tif 000007
2007509514.tif 000008
2007509514.tif 000009
2007509514.tif 000010